(57)【要約】【課題】双極誘電を用いた心電図モニターに用いられる電極を一つのシート等にまとめる場合において、心電図の波形をより明瞭にし、かつ、筋電図の混入を低減させることを課題とする。【解決手段】心電測定用電極ユニットとして、一枚のシート体または板体からなり、プラス電極、マイナス電極、アース電極を、裏面側に表出するように固定する電極パッドであって、前記各電極が人体表面に接触するように、前記裏面側が人体表面に固定可能に形成される電極パッドと、前記プラス電極、マイナス電極及びアース電極のそれぞれと電気的に連結する３本の電線を有し、双極誘導を用いる心電図モニターとを接続できる電気ケーブルとを設け、前記プラス電極から前記心電図モニターに至るまでの電気抵抗値が、前記マイナス電極から前記心電図モニターに至るまでの電気抵抗値よりも小さくなるよう形成する。【選択図】  図１
2017113141.tif 000002
【特許請求の範囲】
【請求項１】
一枚のシート体または板体からなり、プラス電極、マイナス電極、アース電極を、裏面側に表出するように固定する電極パッドであって、前記各電極が人体表面に接触するように、前記裏面側が人体表面に固定可能に形成される電極パッドと、
前記プラス電極、マイナス電極及びアース電極のそれぞれ電気的に連結する３本の電線を有し、双極誘導を用いる心電図モニターに接続できる電気ケーブルとを有し、
前記プラス電極から前記心電図モニターに至るまでの電気抵抗値が、前記マイナス電極から前記心電図モニターに至るまでの電気抵抗値よりも小さくなるよう形成される
心電測定用電極ユニット。
【請求項２】
前記電極パッドには、前記各電極ごとに電気的に接続された端子が表面に表出するように設けられるとともに、前記電気ケーブルの前記各電線先端に前記各端子に係合して電気的に接続するコネクタが設けられることで、前記電極パッドと前記電気ケーブルとは着脱可能に形成される請求項１に記載の心電測定用電極ユニット。
【請求項３】
前記電気ケーブルに変えて、前記プラス電極、マイナス電極、アース電極に接続され、無線により前記プラス電極、マイナス電極、アース電極からの電気信号を前記心電図モニターに送信する無線装置が設けられ、
前記無線装置には、前記各端子に係合して電気的に接続するコネクタが設けられることで、前記電極パッドと前記無線装置とは着脱可能に形成される請求項２に記載の心電測定用電極ユニット。
【請求項４】
前記プラス電極から当該プラス電極に接続された端子に至るまでの電気抵抗値が前記マイナス電極から当該マイナス電極に接続された端子の電気抵抗値よりも小さくなるように形成される請求項２又は３に記載の心電測定用電極ユニット。
【請求項５】
前記プラス電極に接続された端子に接続可能なコネクタ部分とこれに接続される電線までの電気抵抗値が、前記マイナス電極に接続された端子に接続可能なコネクタ部分とこれに接続される電線の電気抵抗値よりも小さくなるように形成される請求項２に記載の心電測定用電極ユニット。
【請求項６】
前記電気ケーブルを構成する３本の電線は、前記心電図モニター近傍から前記コネクタ近傍において一本にまとめられ、端部で３本に分かれるように形成される請求項２、４、５のいずれか１項に記載の心電測定用電極ユニット。
【請求項７】
前記端子は三角形状に配置されるとともに、前記各端子には先端が基端に対して当該三角形の最も近い角の方向を向くような導電性フックが形成され、
前記コネクタは前記フックに掛る前記電気ケーブルに接続される導電性のリング又はフックから形成され、前記端子の導電性フックに掛った状態において弾性体によって掛りがはずれない方向に付勢される
請求項６に記載の心電測定用電極ユニット。
【請求項８】
前記各電極は正三角形の頂点を形成する位置に配置される請求項１から７のいずれか１項に記載の心電測定用電極ケーブル。
【請求項９】
請求項２、３、４、７のいずれか一項に記載の電極パッド。
【請求項１０】
請求項２、５、６、７のいずれか一項に記載の電気ケーブル。
【請求項１１】
請求項６、７に記載の電気ケーブルであって、前記コネクタ側の端部で３本に分かれる接合位置近傍に人体表面に吸着可能な吸盤が設けられる電気ケーブル。
【発明の詳細な説明】
【技術分野】
【０００１】
本発明は、双極誘導を用いる心電図モニターに接続して心電を測定するための電極パッドと電気ケーブルとからなる心電測定用電極ユニットに関する。
【背景技術】
【０００２】
従来、双極誘電を用いる心電図を得るためには、アイントーベンの三角形の原理に基づき、右肩近傍にマイナス電極を貼り付け、左脇腹にプラス電極を貼り付け、左方近傍にアース電極を貼り付けることが一般的である。しかし、体の３箇所に電極を取り付けるのは煩雑であり、緊急の場合などには服を脱がせたり、場合によっては服を切ったりする必要がある。また、いずれかの電極が外れた場合、３つの電極のうちのどれが外れたのかを即座に特定することが難しい。
これに対して、下記特許文献には単極誘導を用いる心電図モニター用の電極パッドが開示されている。この電極パッドは１枚のシートにプラス電極とアース電極が設けられており胸骨近傍に貼り付けると心電図を得ることができる。当該先行技術文献には電極を３以上にしてもよいことが記載され、また、胸骨近傍の３箇所に電極を接触させても双極誘電を用いる心電図を得ることができるので、一枚のシートに３つの電極を設けた電極パッドを用いれば双極誘電を用いる場合にも用いることができると考えられる。そして、このような構成によれば、一回の動作で貼り付けることができ、また、服を脱がさなくても、服の上又は下から挿入して張り付けることができ、さらに、電極が外れた際に、場所の特定に困らないようにすることが可能である。また、胸骨上には筋肉がないので、筋電による影響を最小限にすることもできる。
【先行技術文献】
【特許文献】
【０００３】
【特許文献１】特開２０１４−８１６６号公報
【発明の概要】
【発明が解決しようとする課題】
【０００４】
ところで、上記のように一枚のシートに電極をまとめると、電極間の電位差が小さくなってしまうために、心電図の波形が小さくなるという問題が生じる。従来のように電極が分離していると電極の取り付けを変えることで対応できるが、一枚のシートに電極が固定されているとこのような対処をすることはできない。また、心電図モニターの波形を画面上で増幅することもできるが、この場合、ノイズとなる筋電図も増幅されてしまうという問題が生じる。
本発明はこのような問題に鑑みて、双極誘電を用いた心電図モニターに用いられる電極を一つのシート等にまとめる場合において、心電図の波形をより明瞭にし、かつ、筋電図の混入を低減させることを課題とする。
【課題を解決するための手段】
【０００５】
上記課題を解決するために、本発明は次のような構成を有する。
請求項１に記載の発明は、一枚のシート体または板体からなり、プラス電極、マイナス電極、アース電極を、裏面側に表出するように固定する電極パッドであって、前記各電極が人体表面に接触するように、前記裏面側が人体表面に固定可能に形成される電極パッドと、前記プラス電極、マイナス電極及びアース電極のそれぞれと電気的に連結する３本の電線を有し、双極誘導を用いる心電図モニターとを接続できる電気ケーブルとを有し、前記プラス電極から前記心電図モニターに至るまでの電気抵抗値が、前記マイナス電極から前記心電図モニターに至るまでの電気抵抗値よりも小さくなるよう形成される心電測定用電極ユニットである。
請求項２に記載の発明は、請求項１に記載の発明において、前記電極パッドには、前記各電極ごとに電気的に接続された端子が表面に表出するように設けられるとともに、前記電気ケーブルの前記各電線先端に前記各端子に係合して電気的に接続するコネクターが設けられることで、前記電極パッドと前記電気ケーブルとは着脱可能に形成されるものである。
請求項３に記載の発明は、請求項２に記載の心電測定用電極ユニットにおいて、前記電気ケーブルに変えて、前記プラス電極、マイナス電極、アース電極に接続され、無線により前記プラス電極、マイナス電極、アース電極からの電気信号を前記心電図モニターに送信する無線装置が設けられ、前記無線装置には、前記端子に係合して電気的に接続するコネクターが設けられることで、前記電極パッドと前記無線装置とは着脱可能に形成されるものである。
【０００６】
請求項４に記載の発明は、請求項２又は３に記載の心電測定用電極ユニットにおいて、前記プラス電極から当該プラスに接続された端子に至るまでの電気抵抗値が前記マイナス電極から当該マイナス電極に接続された端子に至るまでの電気抵抗値よりも小さくなるように形成されるものである。
請求項５に記載の発明は、請求項２に記載の心電測定用電極ユニットにおいて、前記プラス電極に接続された端子に接続可能なコネクター部分とこれに接続される電線までの電気抵抗値が、前記マイナス極に接続された端子に接続可能なコネクター部分とこれに接続される電線までの電気ケーブルの電気抵抗値よりも小さくなるように形成されるものである。
請求項６に記載の発明は、請求項２、４、５のいずれかに記載の心電測定用電極ユニットにおいて、前記電気ケーブルを構成する３本の電線は、前記心電図モニター近傍から前記コネクター近傍において一本にまとめられ、端部で３本に分かれるように形成されるものである。
請求項７に記載の発明は、請求項６に記載の心電測定用電極ユニットにおいて、前記端子は三角形状に配置されるとともに、前記各端子には先端が基端に対して当該三角形の最も近い角の方向を向くような導電性のフックが形成され、前記コネクターは前記フックに掛る前記電気ケーブルに接続される導電性のリング又はフックから形成され、前記端子の導電性フックに掛った状態において弾性体によって掛りがはずれない方向に付勢されるものである。
請求項８に記載の発明は、前記心電測定用電極ユニットにおいて、前記各電極は正三角形の頂点を形成する位置に配置されるものである。
請求項９に記載の発明は、請求項２、３、４、７のいずれか記載の電極パッドである。
請求項１０に記載の発明は、請求項２、４、６、７のいずれかに記載の電気ケーブルである。
請求項１１に記載の発明は、請求項６、７に記載の電気ケーブルであって、前記コネクタ側の端部で３本に分かれる接合位置近傍に人体表面に吸着可能な吸盤が設けられるものである。
【発明の効果】
【０００７】
以上のような構成により本発明は次のような効果を奏する。
請求項１に記載の発明は、プラス電極から心電図モニターに至るまでの電気抵抗値が、マイナス電極から前記心電図モニターに至るまでの電気抵抗値よりも小さくなるように形成することで、プラス電極とマイナス電極間の電位差を大きくすることができ、これによって心電図モニターの波形を大きく明瞭なものとすることができる。また、筋電図が入りやすいマイナス電極側の抵抗値を大きくすることで筋電図を入りにくくすることができる。
請求項２、３に記載の発明は、電極パッドと電気ケーブル又は無線装置とを着脱可能とすることで、まず電極パッドのみで体表面に装着できるので、装着作業が行い易く、また、検査対象者が複数いる場合、複数の電極パッドを各検査対象者に装着すれば、心電図モニターと接続している電気ケーブル又は無線装置と各電極パッドとの接続を切り替えていくだけで複数の検査対象者の心電図を計測することができる。
【０００８】
請求項４に記載の発明は、電極パッドにおいてプラス電極部分とマイナス電極部分との間に抵抗値差を設けておくことで、電気ケーブルや無線装置は抵抗差を設けない一般的に用いられているものを採用することができる。
請求項５に記載の発明は、電気ケーブルの電線部分同士において抵抗値差を設けることで、電極パッドは抵抗値差を設ける必要が無くなり、電極パッドの低コスト化に資することができる。
請求項６に記載の発明は、３本の電線を有する電気ケーブルの途中を一本にまとめることで取り回しや収納をより簡易にすることができる。
請求項７に記載の発明は、簡易な構造で、電極パッドの端子と、電気ケーブルとのコネクタを着脱可能とすることができる。
請求項８に記載の発明は、各電極を正三角形状に配置することで、心電図に適切な波形が出ない場合に、１２０度回転させることで適切な波形を得ることができる。
請求項９に記載の発明は、適当な電気ケーブル又は無線装置と組み合わせることで、上記効果を奏する心電測定用電極ユニットを得ることができる。
請求項１０に記載の発明は、適当な電極パッドと組み合わせることで、上記効果を奏する心電測定用電極ユニットを得ることができる。
請求項１１に記載の発明は、コネクターの中心に吸盤が設けられることで、吸盤を人体表面に吸着させ、直接コネクターを皮膚に接触させて心電図を見ることで、電極パッドを貼り付ける前に、貼り付け位置が適切かどうかを判断することができる。
【図面の簡単な説明】
【０００９】
【図１】（ａ）は実施形態に係る心電測定用電極ユニットの斜め上方からみた斜視図であり、（ｂ）は同心電測定用電極ユニットの斜め下方からみた斜視図である。
【図２】（ａ）は実施形態に係る電極パッドの斜め上方からみた斜視図であり、（ｂ）は実施形態に係る電極パッドの斜め下方からみた分解斜視図である。
【図３】（ａ）は実施形態に係る電線ケーブルのコネクターの斜視図であり、（ｂ）は一つのコネクター部分の拡大縦断面図である。
【図４】（ａ）は電極パッドを人体に固定した状態を示す図であり、（ｂ）は（ａ）の状態から電気ケーブルを電極パッドに固定した状態を示す図である。
【図５】（ａ）（ｂ）ともに変形例に係る電源パッドの斜め下方からみた斜視図である。
【図６】変形例に係る電線ケーブルのコネクタ部の斜視図である。
【図７】（ａ）は変形例に係る心電測定用電極ユニットの斜視図であり、（ｂ）は変形例に係る心電測定用電極ユニットの分解斜視図である。
【発明を実施するための形態】
【００１０】
以下、本発明の実施の形態について、図面を参照しながら説明する。
図１（ａ）に本実施形態に係る心電測定用電極ユニットＸの斜め上方から見た斜視図を示し、（ｂ）に心電測定用電極ユニットＸの斜め下方から見た斜視図を示す。心電測定用ユニットＸは、電極パッド１０と、電気ケーブル２０とから構成される。電極パッド１０と電気ケーブル２０とは後述するコネクター３０によって着脱可能に形成されている。
図２（ａ）に電源パッド１０の斜め上方から見た斜視図を示し、（ｂ）に電源パッド１０の斜め下方から見た分解斜視図を示す。電極パッド１０は、正三角形状のシート１１の裏面に３つの円形の電極１２ａ、１２ｂ、１２ｃが正三角形の各頂点を構成するように配置され、シート１１の表面には各電極１２ａ、１２ｂ、１２ｃのそれぞれと上下で電気的に繋がる端子１３ａ、１３ｂ、１３ｃが設けられる。そして、シート１１の裏面には粘着剤が塗布されるとともに、当該粘着剤を覆うように、当該粘着剤に対して容易に剥離できる剥離紙１４が貼り付けられている。端子１３ａ、１３ｂ、１３ｃは、下端側が電極１２ａ、１２ｂ、１２ｃと一体に連結する円柱体状の脚と、当該脚の上面に固定される円板状の抜け止めとから構成される。当該抜け止めは、各脚が形成する正三角形の重心から離れる方向にずれるように脚の上面に固定されることで、端子１３ａ、１３ｂ、１３ｃには、各端子が形成する正三角形のそれぞれ最も近い角の方向を向くようなフックが形成される。
【００１１】
図３（ａ）に電気ケーブル２０のコネクター３０近傍の斜視図を示す。電気ケーブル２０は３本の被覆されることで互いに絶縁される電線を束ねたものであり、コネクター３０近傍と図示しない心電図モニターへの接続コネクターとの間の中間部分はまとめられてさらに被覆されることで一本のケーブルとなっている。コネクター３０は、中央の電気ケーブル２０の被覆に固定されるリング３４と、リング３４に互いに１２０度の角度をもって同一平面状に広がるよう基端部が固定されるパイプ３３ａ、３３ｂ、３３ｃ、各パイプ３３ａ、３３ｂ、３３ｃの先端に基端が固定される引っ張りバネ３２ａ、３２ｂ、３２ｃ、各引っ張りバネ３２ａ、３２ｂ、３２ｃの先端に外縁が固定される金属製のリング３１ａ、３１ｂ、３１ｃとから構成される。リング３１ａはマイナス極に接続され、３１ｂはアース極に接続され、リング３１ｃはプラス極に接続されることが想定され、これを示すためにリング３１ａに接続されるパイプ３３ａは赤色に、リング３１ｂに接続されるパイプ３３ｂは黄色に、リング３１ｃに接続されるパイプ３３ｃは緑色に形成される。リング３１ａ、リング３１ｂとは同じ金属で形成され、リング３１ｃはこれらよりも抵抗が小さい異なる金属で形成されている。電気ケーブルの各電線は先端で３つに分岐してコネクター３０の各パイプ３３ａ、３３ｂ、３３ｃから引っ張りバネ３２ａ、３２ｂ、３２ｃを通って、先端がリング３１ａ、３１ｂ、３１ｃに電気的に接続している。図３（ｂ）に一つのパイプ３３ａ、引っ張りバネ３２ａ、リング３１ａ近傍の拡大縦断面図を示す。図に示すように各引っ張りバネ３２ａ、３２ｂ、３２ｃ内の電線２１ａは引っ張りバネ３２ａ、３２ｂ、３２ｃの伸びに追従できるようにコイル状に巻かれている。また、リング３１ａ、３１ｂ、３１ｃは、想像線で示す電極パッド１０の端子１３ａ、１３ｂ、１３ｃの抜け止めの外径よりやや大きな内径を有するよう形成される。また、コネクター３０の中心から各リング３１ａ、３１ｂ、３１ｃの内周の最も遠い点までの距離は、電極パッドの重心から各端子１３ａ、１３ｂ、１３ｃの脚の外周の最も遠い点までの距離よりも若干短くなるように設定されている。これにより、各リング３１ａ、３１ｂ、３１ｃを各端子１３ａ、１３ｂ、１３ｃに係合させたときに、引張りバネ３２ａ、３２ｂ、３２ｃが若干伸びることとなり、リング３１ａ、３１ｂ、３１１と端子１３ａ、１３ｂ、１３ｃの脚との接触が常時維持されることとなる。
【００１２】
次に、以上のような構成を有する心電測定用電極ユニットＸの使用方法について説明する。測定者は、まず電極パッド１０の剥離紙を剥がして、電極パッド１０裏面の粘着剤部分を図４（ａ）に示すように被測定者の心臓近傍の胸骨上面の適当な位置に貼り付ける。これにより、各電極１２ａ、１２ｂ、１２ｃは被験者の体表面に接触することとなる。なお、図では着衣していないが、着衣状態でも上衣の襟首又は裾から電極パッド１０を入れて貼り付けることが可能である。また、電極パッド１０の各電極１２ａ、１２ｂ、１２ｃ、端子１３ａ、１３ｂ、１３ｃは同じであるので、図に示すように逆三角形になるように貼り付ければ、どの向きで取り付けてもよい。なお、貼り付けた状態において、右上部分がマイナス極、左上部分がアース極、下部分がプラス極となる。その後、図４（ｂ）に示すように図示しない心電図モニターに接続されている電気ケーブル２０のコネクター３０を貼り付けた電極パッド１０に接続する。コネクター３０の接続の方法は、まず、リング３１ａ、３１ｂ、３１ｃの内の一つをフックを形成する端子１３ａ、１３ｂ、１３ｃの適当なものに引っ掛け、残りのリングは引張りバネを引っ張って、それぞれ端子のフックに引っ掛ける。この際、コネクター３０の電気抵抗が最も小さい緑色のパイプ３３ｃに繋がるリング３１ｃが電極パッド１０の下に位置する端子に係合するようにする。リング３１ｃが下になると自ずと赤色のパイプ３３ａに繋がるリング３１ａは被測定者から見て右上の端子１３ａに、黄色のパイプ３３ｂに繋がるリング３１ｂは被測定者から見て左上の端子１３ｂに係合することとなる。以上で、心電測定用電極ユニットＸの被験者への取り付けが完了し、この状態で心電図モニターで心電図を測定することができる。
以上のような構成を有する心電測定用電極ユニットＸを用いると、マイナス電極となるリング３１ａの抵抗値がプラス電極となるリング３１ｃの抵抗値よりも大きくなっていることで電位差が大きくなり、心電図モニターの心電図の波形を大きくすることができるとともに、筋電図が入りやすいマイナス電極の抵抗が大きいことで、筋電図の混入も低減させることができる。
【００１３】
なお、上記実施形態では、コネクター３０においてプラス電極とマイナス電極との間に抵抗値差を設けたが、電極パッド１０における２つの電極及び／又は端子同士の金属を異なる抵抗値のものに変えたり、電気ケーブルにおける２本の電線の抵抗値を変えたりすることでプラス電極とマイナス電極との間に抵抗値差を設けることもできる。
また、上記実施形態では電極パッドは粘着剤によって体に貼り付けるようにしているが、体表面に電極が接触するように固定できれば、種々の手段を採用することができる。例えば、図５（ａ）に示す電極パッド１０Ａのように各電極１２ａ、１２ｂ、１２ｃを吸盤１５ａ、１５ｂ、１５ｃの中央に位置するように設け、当該吸盤１５ａ、１５ｂ、１５ｃを体表面に貼り付けることで電極を体表面に接触するようにすることができる。さらに、図５（ｂ）に示すよう電極パッド１０Ｂのように粘着ゲル１６ａ、１６ｂ、１６ｃによって電極を体表面に貼り付けることで電極を体表面に接触するようにできる。なお、粘着ゲルは導電性があるので、金属の電極は粘着ゲルの中に位置するようにでき、この場合、粘着ゲル表面が体表面に接触する電極となる。
それから、図６に示すコネクター３０Ａのように、コネクターの底面に吸盤３３を設けるようにしてもよい。このように吸盤３５をコネクターの底面に固定すると、電極パッド１０を体に貼り付ける前にコネクター３０Ａのみを吸盤３５によって体に貼り付け、リング３１ａ、３１ｂ、３１ｃを体表面に接触させた状態で心電図を得ることができるので、適切な心電図が得られるかどうかを電極パッド１０を体に貼り付ける前に予め検証することができる。また、電極パッド１０に係合させる際にも、吸盤３５を電極パッド１０の表面に吸着させることでより確実に固定することが可能となる。
さらに、上記実施形態に示すコネクター３０と端子１３ａ、１３ｂ、１３ｃとの係合方法は例示であり、電線が端子に電気的に接続されかつ固定できれば種々の方法を用いることができる。例えば、一般的なコネクター構造に見られるように一方をオス型のレセプターとし他方をこれに係合するメス型のレセプタクルとしてもよく、ワニ口クリップを電線側としてワニ口クリップで端子を挟むようにしてもよい。また、磁石を用いて結合するような構造を採用することもできる。
また、上記実施形態では電極パッドと電気ケーブルとは着脱可能に形成しているが、図７（ａ）に示す心電測定用電極ユニットＹのように、電気ケーブルの電線を直接電極パッド１０の電極に電気的に連結して一体のものとして形成することもできる。また、電気ケーブルを用いる代わりに、図７（ｂ）に分解斜視図を示す心電測定用電極ユニットＺのように、電極パッド１０に対して心電図モニターに無線で信号を送る無線機４０を接続するようにしてもよい。この場合、無線機内において、プラス電極とマイナス電極との間に抵抗値差を設けるようにすることができる。さらに、電気ケーブルとコネクターとを着脱可能とすることもできる。例えば、電気ケーブルを既存の先端にワニ口クリップが設けられた３本の電線として、各ワニ口クリップを、コネクターを構成する電線のそれぞれの基端に係合させるような方法が採用できる。
それから、３つの電極の配置は上記実施形態では正三角形の頂点に位置するように配置しているが、他の三角形の頂点に位置するように配置してもよく、実験では直列に並べて胸骨上に貼り付けても心電図を得ることができたので、３つの電極を直列に並べることもできる。電極を直列に並べて胸骨上に貼り付ける場合、ほとんど筋電図が混入しないという利点がある。  
さらに、電極パッドの材質は上記実施形態ではシート体を用いているが、板体を用いることができる。この場合、板体は硬いものでなく十分に変形可能なものとすることが望ましい。
【符号の説明】
【００１４】
Ｘ、Ｙ、Ｚ  心電測定用電極ユニット
１０、１０Ａ、１０Ｂ  電極パッド
１２ａ、１２ｂ、１２ｃ  電極
１３ａ、１３ｂ、１３ｃ  端子
２０  電気ケーブル
３０、３０Ａ  コネクター
３１ａ、３１ｂ、３１ｃ  リング
【図１】
2017113141.tif 000003
【図２】
2017113141.tif 000004
【図３】
2017113141.tif 000005
【図４】
2017113141.tif 000006
【図５】
2017113141.tif 000007
【図６】
2017113141.tif 000008
【図７】
2017113141.tif 000009
【手続補正書】
【提出日】平成29年4月25日(2017.4.25)
【手続補正１】
【補正対象書類名】特許請求の範囲
【補正対象項目名】全文
【補正方法】変更
【補正の内容】
【特許請求の範囲】
【請求項１】
一枚のシート体または板体からなり、プラス電極、マイナス電極、アース電極を、裏面側に表出するように固定する電極パッドであって、前記各電極が人体表面に接触するように、前記裏面側が人体表面に固定可能に形成される電極パッドと、
前記プラス電極、マイナス電極及びアース電極のそれぞれ電気的に連結する３本の電線を有し、双極誘導を用いる心電図モニターに接続できる電気ケーブルとを有し、
前記プラス電極から前記心電図モニターに至るまでの電気抵抗値が、前記マイナス電極から前記心電図モニターに至るまでの電気抵抗値よりも小さくなるよう形成される
心電測定用電極ユニット。
【請求項２】
前記電極パッドには、前記各電極ごとに電気的に接続された端子が表面に表出するように設けられるとともに、前記電気ケーブルの前記各電線先端に前記各端子に係合して電気的に接続するコネクタが設けられることで、前記電極パッドと前記電気ケーブルとは着脱可能に形成される請求項１に記載の心電測定用電極ユニット。
【請求項３】
前記電気ケーブルに変えて、前記プラス電極、マイナス電極、アース電極に接続され、無線により前記プラス電極、マイナス電極、アース電極からの電気信号を前記心電図モニターに送信する無線装置が設けられ、
前記無線装置には、前記各端子に係合して電気的に接続するコネクタが設けられることで、前記電極パッドと前記無線装置とは着脱可能に形成される請求項２に記載の心電測定用電極ユニット。
【請求項４】
前記電気ケーブルを構成する３本の電線は、前記心電図モニター近傍から前記コネクタ近傍において一本にまとめられ、端部で３本に分かれるように形成される請求項２に記載の心電測定用電極ユニット。
【請求項５】
前記端子は三角形状に配置されるとともに、前記各端子には先端が基端に対して当該三角形の最も近い角の方向を向くような導電性フックが形成され、
前記コネクタは前記フックに掛る前記電気ケーブルに接続される導電性のリング又はフックから形成され、前記端子の導電性フックに掛った状態において弾性体によって掛りがはずれない方向に付勢される
請求項４に記載の心電測定用電極ユニット。
【請求項６】
前記電気ケーブルの前記コネクタ側の端部で３本に分かれる接合位置近傍に人体表面に吸着可能な吸盤が設けられる請求項４又は５に記載の心電測定用電極ユニット。
【請求項７】
前記各電極は正三角形の頂点を形成する位置に配置される請求項１から６のいずれか１項に記載の心電測定用電極ユニット。
【請求項８】
前記電極パッドにおいて、前記プラス電極から当該プラス電極に接続された端子に至るまでの電気抵抗値が前記マイナス電極から当該マイナス電極に接続された端子の電気抵抗値よりも小さくなるように形成される請求項２から７のいずれか１項に記載の心電測定用電極ユニット。
【請求項９】
前記電気ケーブルにおいて、前記プラス電極に接続された端子に接続可能なコネクタ部分とこれに接続される電線までの電気抵抗値が、前記マイナス電極に接続された端子に接続可能なコネクタ部分とこれに接続される電線の電気抵抗値よりも小さくなるように形成される請求項２、４、５、６のいずれか１項に記載の心電測定用電極ユニット。
【請求項１０】
請求項８に記載の電極パッド。
【請求項１１】
請求項９に記載の電気ケーブル。
【手続補正２】
【補正対象書類名】明細書
【補正対象項目名】０００５
【補正方法】変更
【補正の内容】
【０００５】
請求項４に記載の発明は、請求項２に記載の心電測定用電極ユニットにおいて、前記電気ケーブルを構成する３本の電線は、前記心電図モニター近傍から前記コネクター近傍において一本にまとめられ、端部で３本に分かれるように形成されるものである。
請求項５に記載の発明は、請求項４に記載の心電測定用電極ユニットにおいて、前記端子は三角形状に配置されるとともに、前記各端子には先端が基端に対して当該三角形の最も近い角の方向を向くような導電性のフックが形成され、前記コネクターは前記フックに掛る前記電気ケーブルに接続される導電性のリング又はフックから形成され、前記端子の導電性フックに掛った状態において弾性体によって掛りがはずれない方向に付勢されるものである。
請求項６に記載の発明は、請求項４又は５に記載の心電測定用電極ユニットにおいて、前記電気ケーブルの前記コネクタ側の端部で３本に分かれる接合位置近傍に人体表面に吸着可能な吸盤が設けられるものである。
請求項７に記載の発明は、前記心電測定用電極ユニットにおいて、前記各電極は正三角形の頂点を形成する位置に配置されるものである。
請求項８に記載の発明は、請求項２から７のいずれかに記載の心電測定用電極ユニットにおいて、前記電極ユニットは、前記プラス電極から当該プラスに接続された端子に至るまでの電気抵抗値が前記マイナス電極から当該マイナス電極に接続された端子に至るまでの電気抵抗値よりも小さくなるように形成されるものである。
請求項９に記載の発明は、請求項２、４、５、６のいずれかに記載の心電測定用電極ユニットにおいて、前記電気ケーブルは、前記プラス電極に接続された端子に接続可能なコネクター部分とこれに接続される電線までの電気抵抗値が、前記マイナス極に接続された端子に接続可能なコネクター部分とこれに接続される電線までの電気抵抗値よりも小さくなるように形成されるものである。
請求項１０に記載の発明は、請求項８に記載の電極パッドである。
請求項１１に記載の発明は、請求項９に記載の電気ケーブルである。
【手続補正３】
【補正対象書類名】明細書
【補正対象項目名】０００７
【補正方法】変更
【補正の内容】
【０００７】
請求項４に記載の発明は、３本の電線を有する電気ケーブルの途中を一本にまとめることで取り回しや収納をより簡易にすることができる。
請求項５に記載の発明は、簡易な構造で、電極パッドの端子と、電気ケーブルとのコネクタを着脱可能とすることができる。
請求項６に記載の発明は、コネクターの中心に吸盤が設けられることで、吸盤を人体表面に吸着させ、直接コネクターを皮膚に接触させて心電図を見ることで、電極パッドを貼り付ける前に、貼り付け位置が適切かどうかを判断することができる。
請求項７に記載の発明は、各電極を正三角形状に配置することで、心電図に適切な波形が出ない場合に、１２０度回転させることで適切な波形を得ることができる。
請求項８に記載の発明は、電極パッドにおいてプラス電極部分とマイナス電極部分との間に抵抗値差を設けておくことで、電気ケーブルや無線装置は抵抗差を設けない一般的に用いられているものを採用することができる。
請求項９に記載の発明は、電気ケーブルの電線部分同士において抵抗値差を設けることで、電極パッドは抵抗値差を設ける必要が無くなり、電極パッドの低コスト化に資することができる。
請求項１０に記載の発明は、適当な電気ケーブル又は無線装置と組み合わせることで、上記効果を奏する心電測定用電極ユニットを得ることができる。
請求項１１に記載の発明は、適当な電極パッドと組み合わせることで、上記効果を奏する心電測定用電極ユニットを得ることができる。